(57)【特許請求の範囲】
【請求項１】
一端に螺設されているオネジ部（６ａ）に続いて角筒状部（６ｂ）と中間円筒状部（６ｃ）と段差部（６ｅ）を介して最下円筒状部（６ｄ）とが順次設けられていてその中央長手方向に貫通穴（６ｆ）が穿設されていると共にこの貫通穴（６ｆ）の最下円筒状部（６ｄ）側に中間ボルト（７）の頭部に形成されている角筒部（７ａ）が嵌合する形状の中間ボルト嵌合部（６ｇ）が設けられている中間ボルト連結用部材（６）と、該中間ボルト連結用部材（６）にコ状断面の閉塞部（５ａ）側からその中央に穿設されている貫通穴（５ｂ）を貫通し前記段差部（６ｅ）で支持されているコイルスプリング保持体（５）と、前記中間ボルト連結用部材（６）に外嵌され一端を該コイルスプリング保持体（５）内に挿入されて保持されているコイルスプリング（４）と、前記中間ボルト連結用部材（６）の角筒状部（６ｂ）にコ状断面の閉塞部（３ａ）の中央に穿設されている角筒状の貫通穴（３ｂ）を外嵌され且つ該コイルスプリング（４）の他端がその内部に挿入されている中間ボルト回転操作体（３）と、該中間ボルト回転操作体（３）の貫通穴（３ｂ）から突出しているオネジ部（６ａ）に螺合されているナット（２）と、頭部（１ａ）が該ナット（２）側に位置し且つ該中間ボルト連結用部材（６）の貫通穴（６ｆ）内にオネジ部（１ｂ）を挿入されている中間ボルト保持用ネジ棒（１）とより成る第１連結部材と、
前記中間ボルト嵌合部（６ｇ）に中間ボルト（７）の角筒部（７ａ）を嵌合された状態の中間ボルト連結用部材（６）が摺動状態で貫通可能な貫通穴（８ａ）が中央部に穿設されていると共にこの貫通穴（８ａ）の一端にアバットメント（１１）の口腔内側に位置する部分に設けられている角筒状部（１１ｃ）が嵌合する形状のアバットメント嵌合部（８ｂ）が設けられていてこのアバットメント嵌合部（８ｂ）が設けられている側と反対側に指先で把持できる把持部（８ｃ）が突設されているアバットメント係合用部材（８）と、中央部に穿設されている貫通穴（９ａ）に該アバットメント係合用部材（８）が挿入されていて該貫通穴（９ａ）の一端にアバットメント（１１）の口腔内側部分に設けられている角筒状部（１１ｃ）に続く最大外径部を保持する保持部（９ｂ）が設けられていると共に該保持部（９ｂ）にバネ作用を付与するための軸方向に平行なスリット（９ｃ）が設けられているアバットメント保持部材（９）と、該アバットメント係合用部材（８）と該アバットメント保持部材（９）とを一体に固定しているビス（１０）とより成る第２連結部材と、
より成ることを特徴とする歯科インプラントのアバットメント固定用治具。
【請求項２】
中間ボルト保持用ネジ棒（１）の頭部（１ａ）から先端のオネジ部（１ｂ）に至る円柱状部（１ｃ）にオネジ部（１ｂ）側が細くなるように段部（１ｄ）が設けられており、中間ボルト連結用部材（６）の中央長手方向に穿設されている貫通穴（６ｆ）内に該中間ボルト保持用ネジ棒（１）のオネジ部（１ｂ）と螺合するメネジ部（６ｈ）が螺設されており、該中間ボルト保持用ネジ棒（１）のオネジ部（１ｂ）が該中間ボルト連結用部材（６）のメネジ部（６ｈ）との螺合が解除されるまで押し込まれている請求項１に記載の歯科インプラントのアバットメント固定用治具。
【請求項３】
ナット（２）の外径が中間ボルト保持用ネジ棒（１）の頭部（１ａ）の外径と同一か又はそれより小さい請求項１又は２に記載の歯科インプラントのアバットメント固定用治具。
【請求項４】
アバットメント保持部材（９）の保持部（９ｂ）が設けられている側と反対側の形状がアバットメント係合用部材（８）のアバットメント嵌合部（８ｂ）が設けられている側と反対側の部分が丁度係合する形状を成している請求項１から３までのいずれか１項に記載の歯科インプラントのアバットメント固定用治具。
【発明の詳細な説明】
【０００１】
【産業上の利用分野】
本発明は、欠如歯部の顎骨内に形成された埋入孔内に埋入して固定される通常歯科インプラントと略称されている歯科用補綴物維持装置におけるインプラントフィクスチャーにアバットメントを中間ボルトを介して固定するための歯科インプラントのアバットメント固定用治具に関するものである。
【０００２】
【従来の技術】
従来、欠如歯部における歯科補綴法としては、ブリッジによる方法と、床義歯による方法とが一般に行われてきた。
しかしながら、ブリッジによる方法は、欠如歯部の両側の健全な天然歯を切削して支台とし、この支台に係合する金属体に欠如歯部に位置する歯科用補綴物を固定する方法であるので、健全な天然歯を切削しなければならないばかりか、欠如歯部に位置する歯科用補綴物部分には咬合圧が直接には加わらないために当該部位で骨吸収を引き起こすという欠点があった。
また、床義歯による方法は、合成樹脂等で作成した義歯床に義歯を固定したものを歯科用補綴物とする方法であるが、この方法では歯科用補綴物に作用する咬合力を残存天然歯及び／又は口腔粘膜によって負担させるものであるので、歯科用補綴物使用中に違和感があることや、口腔粘膜組織中に散在する味覚の受容器を義歯床が覆ってしまうことによる味覚の鈍麻が生じることがあり、更には長期間の使用によって顎堤の吸収を引き起こすという重大な欠点があった。
【０００３】
そこでこれらの欠点を解消する治療方法として、欠如歯部の顎骨内に形成した埋入孔内に歯科用補綴物の維持安定装置となるインプラントフィクスチャーを埋入して天然歯における歯根の機能を代行せしめ、このインプラントフィクスチャー口腔内側に固定されたアバットメントに歯科用補綴物の固定装置を固定して歯科用補綴物維持装置とし、この歯科用補綴物の固定装置に歯科用補綴物を固着する歯科インプラントの技術が開発され、実施されるようになってきている。
【０００４】
このような歯科インプラントによる治療方法を実施すると、口腔粘膜を覆うことなく歯科用補綴物を固定することができるので、歯科用補綴物装着時の違和感や味覚の鈍麻が生じることがなく、天然歯に似た使用感が得られ、更に顎骨に適度な咬合力が付与されるためにインプラントフィクスチャーが埋入されていない場合に想定される骨吸収を最小限に抑制できるという利点があるため、この治療方法は急速な発展を遂げて単独歯欠損，２歯以上の局部欠損及び無歯顎（全歯欠損）に至るまでに適用できるようになりつつある。
【０００５】
この歯科インプラントによる治療方法としては、欠如歯部の顎骨内に形成された埋入孔内に埋入されたインプラントフィクスチャーが欠如歯部の顎骨に充分に結合し且つ埋入孔を形成したことによる手術部分が治癒したら、そのインプラントフィクスチャーが埋入された口腔内側の歯肉部分を再度切開してインプラントフィクスチャーの口腔内側部分に歯科用補綴物の固定装置の取付部分となるアバットメントを固定する２回法が採用されており、このアバットメントはインプラントフィクスチャーに対して回転しないように固定され、その口腔内側部分に取り付けられる歯科用補綴物の固定装置が単独歯用の固定装置である場合にはその固定装置がインプラントフィクスチャーに対して回転したのでは歯科用補綴物を欠如歯部に正確に位置せしめられない現象が生じるため歯科用補綴物の固定装置を回転しないように維持する部分がアバットメントの歯科用補綴物の固定装置が装着される口腔内側部分にも設けられている。
【０００６】
このような歯科インプラントによる治療方法において、欠如歯部の顎骨内に形成された埋入孔内に埋入されたインプラントフィクスチャーの口腔内側部分にアバットメントを固定する操作は、インプラントフィクスチャーの口腔内側部分にアバットメントを位置せしめてインプラントフィクスチャーの口腔内側部分に設けられている係合部（通常、角筒状部）とアバットメントのインプラントフィクスチャー側部分に設けられている係合部（通常、角筒状凹部）とを係合させてアバットメントがインプラントフィクスチャーに対して回転しないようにし、アバットメントの中央部に貫通して設けられている貫通穴を挿通させた中間ボルトをインプラントフィクスチャーの口腔内側部分に螺設されているメネジ部に螺着させることによって行われている。
【０００７】
しかしながら、このインプラントフィクスチャーの口腔内側部分にアバットメントを固定する操作は、非常に狭い部分において行わなければならないために、インプラントフィクスチャーの口腔内側部分に設けられている係合部とアバットメントのインプラントフィクスチャー側部分に設けられている係合部とを確実に係合したことの確認が困難であるばかりでなく、中間ボルトをインプラントフィクスチャーの口腔内側部分に螺設されているメネジ部に螺着させる際にインプラントフィクスチャーにその締付けトルクが作用してインプラントフィクスチャーが欠如歯部の顎骨内に形成された埋入孔内で回転してインプラントフィクスチャーと欠如歯部の顎骨との結合が破壊されることがないように細心の注意を払って行わなければならず、しかもアバットメントや中間ボルトは非常に小さな部品であるので不用意に口腔内に落下させて患者が誤って飲み込んでしまうような現象が生じないようにすることが必要である。
【０００８】
更に近年、歯科インプラント治療の歯科用補綴物には、単に咬合機能の回復ばかりでなく審美性の回復も求められてきており、より天然歯に近い形態の歯科用補綴物、即ち歯肉縁下より立上り、口腔内方向に向かって拡がるような立上り形態を有する歯科用補綴物が好まれてきている。その結果、アバットメントもインプラントフィクスチャーの口腔内側から離れるに従って連続的にその直径が大きくなるテーパを持つ形態を持つため、欠如歯部の顎骨内に形成された埋入孔内に埋入されたインプラントフィクスチャーの口腔内側部分でアバットメントを安定性良く保持することが困難であり、確実且つ容易にアバットメントをインプラントフィクスチャーの口腔内側の所定位置に固定する手段の開発が切望されていたのである。
【０００９】
【発明が解決しようとする課題】
本発明は、上記した欠如歯部の顎骨内に形成された埋入孔内に埋入されて結合されたインプラントフィクスチャーにアバットメントを中間ボルトを介して確実且つ容易に固定するための歯科インプラントのアバットメント固定用治具を提供することを課題とする。
【００１０】
【課題を解決するための手段】
本発明者は、上記課題を解決すべく鋭意研究の結果、歯科インプラントのアバットメント固定用治具の構造を、
一端に螺設されているオネジ部に続いて角筒状部と中間円筒状部と段差部を介して最下円筒状部とが順次設けられていてその中央長手方向に貫通穴が穿設されていると共にこの貫通穴の最下円筒状部側に中間ボルトの頭部に形成されている角筒部が嵌合する形状の中間ボルト嵌合部が設けられている中間ボルト連結用部材と、該中間ボルト連結用部材にコ状断面の閉塞部側からその中央に穿設されている貫通穴を貫通し前記段差部で支持されているコイルスプリング保持体と、前記中間ボルト連結用部材に外嵌され一端を該コイルスプリング保持体内に挿入されて保持されているコイルスプリングと、前記中間ボルト連結用部材の角筒部にコ状断面の閉塞部の中央に穿設されている角筒状の貫通穴を外嵌され且つ該コイルスプリングの他端がその内部に挿入されている中間ボルト回転操作体と、該中間ボルト回転操作体の貫通穴から突出しているオネジ部に螺合されているナットと、頭部が該ナット側に位置し且つ該中間ボルト連結用部材の貫通穴内にオネジ部を挿入されている中間ボルト保持用ネジ棒とより成る第１連結部材と、
前記中間ボルト嵌合部に中間ボルトの角筒部を嵌合された状態の中間ボルト連結用部材が摺動状態で貫通可能な貫通穴が中央部に穿設されていると共にこの貫通穴の一端にアバットメントの口腔内側に位置する部分に設けられている角筒状部が嵌合する形状のアバットメント嵌合部が設けられていてこのアバットメント嵌合部が設けられている側と反対側に指先で把持できる把持部が突設されているアバットメント係合用部材と、中央部に穿設されている貫通穴に該アバットメント係合用部材が挿入されていて該貫通穴の一端にアバットメントの口腔内側部分に設けられている角筒状部に続く最大外径部を保持する保持部が設けられていると共に該保持部にバネ作用を付与するための軸方向に平行なスリットが設けられているアバットメント保持部材と、該アバットメント係合用部材と該アバットメント保持部材とを一体に固定しているビスとより成る第２連結部材と、
より成る構成とすることにより解決できることを究明して本発明を完成したのである。
【００１１】
以下、図面により本発明に係る歯科インプラントのアバットメント固定用治具について詳細に説明する。
図１は本発明に係る歯科インプラントのアバットメント固定用治具とこの本発明に係る歯科インプラントのアバットメント固定用治具に装着して使用する中間ボルトとアバットメントとをその装着順序に分解して示す斜視図、図２は本発明に係る歯科インプラントのアバットメント固定用治具に中間ボルトとアバットメントとを装着した状態を示す説明用断面図、図３は本発明に係る歯科インプラントのアバットメント固定用治具の構成部品である中間ボルト連結用部材の断面図、図４は本発明に係る歯科インプラントのアバットメント固定用治具の構成部品であるアバットメント保持部材の断面図、図５は歯科インプラントの中間ボルトの断面図、図６は歯科インプラントのアバットメントの断面図、図７は欠如歯部の顎骨内に形成された埋入孔内に埋入されたインプラントフィクスチャーに中間ボルトによってアバットメントを固定した状態を示す断面説明図である。
【００１２】
図面中、１は中間ボルト保持用ネジ棒であり、その頭部１ａはその周囲にローレットを設けられていることが好ましい操作部を成し、頭部１ａと反対側の先端にはオネジ部１ｂが螺設されている。そして、この頭部１ａと先端のオネジ部１ｂとの間の円柱状部１ｃにはオネジ部１ｂ側が細くなるように段部１ｄが設けられていることが好ましい。
【００１３】
２はナットであり、その外径は中間ボルト保持用ネジ棒１の操作部を成す頭部１ａの回転操作を妨げることがないように中間ボルト保持用ネジ棒１の頭部１ａの外径と同一か又はそれより小さいことが好ましい。
【００１４】
３は一端が閉塞されたコ状断面（図示した実施例は外形が円筒状）を成しその閉塞部３ａの中央に角筒状の貫通穴３ｂを穿設されている中間ボルト回転操作体であり、その筒状部の周囲にはローレットを設けられていることが好ましい。
【００１５】
４は中間ボルト回転操作体３のコ状断面内に一端から挿入されるコイルスプリングであり、その外径は後記するコイルスプリング保持体のコ状断面の筒状部の内径よりも小さく且つその内径は後記する中間ボルト連結用部材の中間円筒状部の最大外径部よりも大きいことが必要である。
【００１６】
５は一端が閉塞された筒状（図示した実施例は円筒状）を成しその閉塞部５ａの中央に貫通穴５ｂを穿設されているコイルスプリング保持体であり、そのコ状断面内にコイルスプリング４の他端が挿入される。
【００１７】
６は一端に前記ナット２に螺合されるオネジ部６ａが螺設されており、このオネジ部６ａに続いて前記中間ボルト回転操作体３の閉塞部３ａの中央に穿設されている貫通穴３ｂに嵌合する角筒状部６ｂが設けられており、この角筒状部６ｂに続く中間円筒状部６ｃと更にそれに続く最下円筒状部６ｄとの間にはコイルスプリング保持体５の閉塞部５ａを保持する段差部６ｅが設けられており、その中央長手方向に前記中間ボルト保持用ネジ棒１の円柱状部１ｃが嵌挿できる貫通穴６ｆが穿設されていると共にこの貫通穴６ｆの最下円筒状部６ｄ側には後記する中間ボルトの頭部に形成されている角筒部が嵌合する形状の中間ボルト嵌合部６ｇが設けられている中間ボルト連結用部材である。そして、中間ボルト保持用ネジ棒１の頭部１ａと先端のオネジ部１ｂとの間の円柱状部１ｃにオネジ部１ｂ側が細くなるように段部１ｄが設けられている場合には、この中間ボルト連結用部材６の貫通穴６ｆに中間ボルト保持用ネジ棒１の先端のオネジ部１ｂと螺合するメネジ部６ｈが螺設されていることが、中間ボルト保持用ネジ棒１の先端のオネジ部１ｂをこのメネジ部６ｈと螺合させ更にこのメネジ部６ｈとの螺合が解除されるまで中間ボルト保持用ネジ棒１を押し込むことにより中間ボルト保持用ネジ棒１が中間ボルト連結用部材６から簡単に脱落しなくなって好ましい。
【００１８】
７は後記するインプラントフィクスチャーの口腔内側に後記するアバットメントを連結するための中間ボルトであり、その頭部には中間ボルト連結用部材６の中間ボルト嵌合部６ｇに嵌合される角筒部７ａが設けられていると共にその角筒部７ａの中央部からメネジ部７ｂが螺設されており、この頭部に続いて前記アバットメントのボルト穴を貫通して前記インプラントフィクスチャーのメネジ部に螺着されるオネジ部７ｃが螺設されている。
【００１９】
８は中間ボルト７を締め付ける際に後記するアバットメントが中間ボルト７と一緒に回転するのを防止するためのアバットメント係合用部材であり、中間ボルト７がその角筒部７ａを中間ボルト嵌合部６ｇに嵌合された状態で保持されている中間ボルト連結用部材６が摺動状態で貫通可能な貫通穴８ａがその中央部に穿設されていると共にこの貫通穴８ａの一端に後記するアバットメントの口腔内側部分に設けられている角筒状部が嵌合する形状のアバットメント嵌合部８ｂが設けられており、このアバットメント嵌合部８ｂが設けられている側と反対側には好ましくは外面にローレットが設けられている指先で把持できる把持部８ｃが突設されていて、この把持部８ｃと貫通穴８ａとの間の部分にビス穴８ｄが貫通して穿設されている。
【００２０】
９はアバットメント係合用部材８のアバットメント嵌合部８ｂにその角筒状部が嵌合されているアバットメントのその角筒状部に続く最大外径部を保持してアバットメントが落下しないように保持するアバットメント保持部材であり、その中央部にはアバットメント係合用部材８が挿入可能な貫通穴９ａが穿設されていて、この貫通穴９ａの一端に後記するアバットメントの口腔内側の角筒状部に続く最大外径部を保持する保持部９ｂが設けられていると共にこの保持部９ｂにバネ作用を付与するようにその軸方向に平行なスリット９ｃが設けられており、この保持部９ｂが設けられている側と反対側の所定位置に螺設されているメネジ部９ｄにアバットメント係合用部材８のビス穴８ｄを貫通したビス１０を螺着させることによってこのアバットメント保持部材９とアバットメント係合用部材８とが一体に固定されるようになっている。このようなアバットメント保持部材９とアバットメント係合用部材８とをビス１０で固定する際に、アバットメント保持部材９のメネジ部９ｄとアバットメント係合用部材８のビス穴８ｄとの位置合わせが容易なようにアバットメント保持部材９の保持部９ｂが設けられている側と反対側の形状はアバットメント係合用部材８のアバットメント嵌合部８ｂが設けられている側と反対側の部分が丁度係合する形状を成していることが好ましい。
【００２１】
１１はインプラントフィクスチャーの口腔内側位置に更に取り付けられるチタン製等のアバットメントであり、インプラントフィクスチャー側がインプラントフィクスチャーの略円柱状部端の外径とほぼ同一外径を有しインプラントフィクスチャーから離れるに従ってその外径は大きくなる截頭円錐形を成しており且つインプラントフィクスチャー側には角筒状凹部１１ａがまたその反対側は少なくとも軸心に対して直角な外周側平面１１ｂと中心側の角筒状部１１ｃとが設けられていて、中央にボルト穴１１ｄが貫通穿設されている。
【００２２】
１２は欠如歯部の顎骨内に形成された埋入孔内に埋入して固定される通常歯科インプラントと略称されている歯科用補綴物維持装置におけるインプラントフィクスチャーであり、欠如歯部の顎骨内に形成された埋入孔内に埋入される先端側がほぼ半球状でそれに続く部分が略円柱状部の外形状を成しこの略円柱状部の口腔内側に位置する端部には前記アバットメント１１の角筒状凹部１１ａに嵌入して係合する角筒状部１２ａが突設されていて中間ボルト７のオネジ部７ｃが螺合されるメネジ部１２ｂがこの角筒状部１２ａの中央部から前記略円柱状部に向けて螺設されている。
【００２３】
【作用】
上述したような構成部品から成る本発明に係る歯科インプラントのアバットメント固定用治具を使用して歯科インプラントのアバットメント１１をインプラントフィクスチャー１２に固定する操作について次に説明する。
【００２４】
先ず、本発明に係る歯科インプラントのアバットメント固定用治具を組み立てる操作について説明すると、コイルスプリング４の一端をコ状断面のコイルスプリング保持体５内に挿入してその閉塞部５ａで保持し、中間ボルト連結用部材６をオネジ部６ａが螺設されている側の端部からコイルスプリング保持体５の閉塞部５ａの中央に穿設されている貫通穴５ｂとコイルスプリング４とを貫通させて挿入して中間円筒状部６ｃと更にそれに続く最下円筒状部６ｄとの間に設けられている段差部６ｅでコイルスプリング保持体５をその閉塞部５ａで保持させた状態とし、中間ボルト回転操作体３の閉塞部３ａの中央に穿設されている貫通穴３ｂに中間ボルト連結用部材６の一端に螺設されているオネジ部６ａを貫通させてこのオネジ部６ａに続いて設けられている角筒部６ｂを中間ボルト回転操作体３の閉塞部３ａの中央に穿設されている貫通穴３ｂに嵌合させると共にコイルスプリング４の他端をコ状断面の中間ボルト回転操作体３内に挿入させてその閉塞部３ａで保持させ、しかる後に中間ボルト回転操作体３の閉塞部３ａから突出している中間ボルト連結用部材６のオネジ部６ａにナット２を螺合させる。
【００２５】
次いで、中間ボルト保持用ネジ棒１の頭部１ａを持って頭部１ａと反対側の先端に螺設されているオネジ部１ｂを中間ボルト連結用部材６の中央長手方向に穿設されている貫通穴６ｆ内に挿入させる。この際、中間ボルト保持用ネジ棒１の頭部１ａと先端のオネジ部１ｂとの間の円柱状部１ｃにオネジ部１ｂ側が細くなるように段部１ｄが設けられていて、中間ボルト連結用部材６の中央長手方向に穿設されている貫通穴６ｆ内に中間ボルト保持用ネジ棒１の先端のオネジ部１ｂと螺合するメネジ部６ｈが螺設されている場合には、中間ボルト保持用ネジ棒１の先端のオネジ部１ｂをこのメネジ部６ｈと螺合させ更にこのメネジ部６ｈとの螺合が解除されるまで中間ボルト保持用ネジ棒１を回転させながら押し込んで、中間ボルト保持用ネジ棒１が中間ボルト連結用部材６から脱落しなくなるようにして、ナット２と中間ボルト回転操作体３とコイルスプリング４とコイルスプリング保持体５と中間ボルト連結用部材６とが装着され更に中間ボルト連結用部材６の貫通穴６ｆ内に中間ボルト保持用ネジ棒１が挿入されている第１連結部材を構成する。
【００２６】
また、アバットメント保持部材９の中央部に穿設されている貫通穴９ａ内に保持部９ｂと反対側からアバットメント係合用部材８の貫通穴８ａが穿設されている筒状部をアバットメント嵌合部８ｂ側から挿入し、アバットメント保持部材９の所定位置に螺設されているメネジ部９ｄにアバットメント係合用部材８のビス穴８ｄを貫通したビス１０を螺着させることによってこのアバットメント保持部材９とアバットメント係合用部材８とを一体に固定してアバットメント保持部材９とアバットメント係合用部材８とがビス１０によって固定された第２連結部材を構成する。
【００２７】
このようにして、構成された第１連結部材と第２連結部材とで、本発明に係る歯科インプラントのアバットメント固定用治具は構成される。
【００２８】
かくして本発明に係る歯科インプラントのアバットメント固定用治具が完成すると、中間ボルト連結用部材６の貫通穴６ｆの最下円筒状部６ｄ側に設けられている中間ボルト嵌合部６ｇに中間ボルト７の頭部に形成されている角筒部７ａを嵌合させ、中間ボルト保持用ネジ棒１の頭部１ａを回転させて中間ボルト保持用ネジ棒１のオネジ部１ｂを中間ボルト７の角筒部７ａの中央部から螺設されているメネジ部７ｂに螺合させてコイルスプリング４が殆ど圧縮されない設定状態で中間ボルト７を中間ボルト連結用部材６に保持させる。しかる後にアバットメント１１をその角筒状部１１ｃ側からアバットメント保持部材９の保持部９ｂ側に移動させてアバットメント保持部材９の軸方向に平行に設けられたスリット９ｃによるバネ作用で保持部９ｂを開かせてアバットメント１１の軸心に対して直角な外周側平面１１ｂをこの保持部９ｂに当接させてアバットメント１１の口腔内側の角筒状部１１ｃに続く最大外径部を保持させると共に、アバットメント１１の角筒状部１１ｃをアバットメント係合用部材８の貫通穴８ａ内の一端に設けられているアバットメント嵌合部８ｂに嵌合させる。最後に、この中間ボルト７が保持されている中間ボルト連結用部材６の最下円筒状部６ｄをアバットメント係合用部材８の貫通穴８ａ内に挿入する。
【００２９】
このようにして本発明に係る歯科インプラントのアバットメント固定用治具に中間ボルト７とアバットメント１１とを装着すると、そのままの状態で口腔内に移送して、アバットメント１１の角筒状凹部１１ａ側をインプラントフィクスチャー１２の口腔内側に移送して中間ボルト７のオネジ部７ｃをインプラントフィクスチャー１２の口腔内側に螺設されているメネジ部１２ｂに当接させると、中間ボルト７を保持している中間ボルト連結用部材６は第２連結部材のアバットメント係合用部材８の貫通穴８ａ内を摺動自在であるので第２連結部材で保持されているアバットメント１１をインプラントフィクスチャー１２の口腔内側部分に当接させることができる。この状態で、アバットメント係合用部材８の把持部８ｃを指先で把持しておいて中間ボルト回転操作体３の筒状部を回転させると、中間ボルト７はその頭部に設けられている角筒部７ａが中間ボルト連結用部材６の中間ボルト嵌合部６ｇに嵌合されており且つその角筒部７ａの中央部から螺設されているメネジ部７ｂが中間ボルト保持用ネジ棒１の先端に螺設されているオネジ部１ｂに螺合されて中間ボルト連結用部材６から抜けない状態となっているので、中間ボルト回転操作体３と一体を成して回転して、中間ボルト７のオネジ部７ｃがインプラントフィクスチャー１２の口腔内側に螺設されているメネジ部１２ｂに螺合されていく。
【００３０】
この中間ボルト回転操作体３の回転を行うに際し、アバットメント係合用部材８の把持部８ｃは指先で把持されているためにアバットメント１１はインプラントフィクスチャー１２に対して回転しない状態に維持されており、中間ボルト７のオネジ部７ｃがインプラントフィクスチャー１２の口腔内側に螺設されているメネジ部１２ｂに螺合されていくに従って中間ボルト回転操作体３がアバットメント係合用部材８側に移動せしめられていくので、コイルスプリング４は圧縮されていく。そして、アバットメント１１の角筒状凹部１１ａ側の端面とインプラントフィクスチャー１２の口腔内側の角筒状部１２ａの端面とが強く当接して中間ボルト回転操作体３を回転する力が急に大きくなったときにアバットメント係合用部材８の把持部８ｃを僅かに回転させると、コイルスプリング４の力によりアバットメント１１を保持している第２連結部材がインプラントフィクスチャー１２側に瞬間的に移動してインプラントフィクスチャー１２の口腔内側に設けられていた角筒状部１２ａとアバットメント１１の角筒状凹部１１ａとが嵌合し、アバットメント１１とインプラントフィクスチャー１２とが衝突して音又は衝撃が生じるので、インプラントフィクスチャー１２の口腔内側に設けられていた角筒状部１２ａとアバットメント１１の角筒状凹部１１ａとが嵌合したことが確認できるのであり、またアバットメント係合用部材８の把持部８ｃの回転ができない場合は、既に嵌合が完了していることが確認できるのである。そこで、第２連結部材によりアバットメント１１が回転しないように保持したまま更に中間ボルト回転操作体３を回転させて中間ボルト７をインプラントフィクスチャー１２の口腔内側に螺設されているメネジ部１２ｂに締め付けて取付けが完了する。しかる後に中間ボルト保持用ネジ棒１の頭部１ａを逆方向に回転させて中間ボルト保持用ネジ棒１のオネジ部１ｂを中間ボルト７の角筒部７ａの中央部から螺設されているメネジ部７ｂとの螺合を解除させ、第２連結部材をアバットメント１１から離れる方向に移動させるとアバットメント保持部材９の保持部９ｂによるアバットメント１１の最大外径部の保持作用が解除され、口腔内にはインプラントフィクスチャー１２にアバットメント１１が中間ボルト７で固定された状態で本発明に係る歯科インプラントのアバットメント固定用治具を取り外すことができるのである。
【００３１】
【発明の効果】
以上に詳述した如く、本発明に係る歯科インプラントのアバットメント固定用治具は、従来の欠如歯部における歯科補綴法として一般に行われてきたブリッジによる方法と床義歯による方法とに代わって、これら方法の欠点を解消する治療方法として開発され実施されるようになってきた歯科インプラントの技術において、欠如歯部の顎骨内に形成された埋入孔内に埋入されて既に固定されているインプラントフィクスチャーにアバットメントを中間ボルトを介して固定する作業を、中間ボルトとアバットメントとを保持したままの状態でインプラントフィクスチャーの口腔内側の位置まで移送して行うことができるので、中間ボルトやアバットメントを不用意に口腔内に落下させて患者が誤って飲み込んでしまうような現象が生じることがなく、更に中間ボルトがインプラントフィクスチャーのメネジ部に少し螺合された状態で本発明治具はインプラントフィクスチャーからの脱落がなくなるので容易に片手で操作ができ、また上顎部の落下し易い部位における操作も容易となる。その上、インプラントフィクスチャーとアバットメントと中間ボルトとのいずれにも手を触れることなく実施することができるので非常に衛生的に治療を行うことを可能とするものである。
【００３２】
そして、インプラントフィクスチャーが埋入された非常に狭い部分においてインプラントフィクスチャーの口腔内側部分にアバットメントを固定する作業を行わなければならないために、インプラントフィクスチャーの口腔内側部分に設けられている角筒状部がアバットメントのインプラントフィクスチャー側部分に設けられている角筒状凹部に確実に嵌合したことの確認が困難であった現象は、コイルバネを組み込んだ第１連結部材の構造によりインプラントフィクスチャーの口腔内側部分に設けられている角筒状部がアバットメントのインプラントフィクスチャー側部分に設けられている角筒状凹部に嵌合するとアバットメントが瞬間的にインプラントフィクスチャーの口腔内側に移動し衝突して発する音又は衝撃により、施術者は容易に確認できるようになるのである。
【００３３】
そして、中間ボルトをインプラントフィクスチャーの口腔内側部分に螺設されているメネジ部に螺着させる際にインプラントフィクスチャーにその締付けトルクが作用しないように、アバットメントは第２連結部材で回転しないように保持されているので、インプラントフィクスチャーが欠如歯部の顎骨内に形成された埋入孔内で回転してインプラントフィクスチャーと欠如歯部の顎骨との結合が破壊されることがないので、施術者は安心して治療を行うことができる。
このような種々の利点を有する本発明の歯科分野に貢献する価値は非常に大きなものである。
【図面の簡単な説明】
【図１】本発明に係る歯科インプラントのアバットメント固定用治具とこの本発明に係る歯科インプラントのアバットメント固定用治具に装着して使用する中間ボルトとアバットメントとをその装着順序に分解して示す斜視図である。
【図２】本発明に係る歯科インプラントのアバットメント固定用治具に中間ボルトとアバットメントとを装着した状態を示す説明用断面図である。
【図３】本発明に係る歯科インプラントのアバットメント固定用治具の構成部品である中間ボルト連結用部材の断面図である。
【図４】本発明に係る歯科インプラントのアバットメント固定用治具の構成部品であるアバットメント保持部材の断面図である。
【図５】歯科インプラントの中間ボルトの断面図である。
【図６】歯科インプラントのアバットメントの断面図である。
【図７】欠如歯部の顎骨内に形成された埋入孔内に埋入されたインプラントフィクスチャーに中間ボルトによってアバットメントを固定した状態を示す断面説明図である。
【符号の説明】
１  中間ボルト保持用ネジ棒
１ａ  頭部
１ｂ  オネジ部
１ｃ  円柱状部
１ｄ  段部
２  ナット
３  中間ボルト回転操作体
３ａ  閉塞部
３ｂ  貫通穴
４  コイルスプリング
５  コイルスプリング保持体
５ａ  閉塞部
５ｂ  貫通穴
６  中間ボルト連結用部材
６ａ  オネジ部
６ｂ  角筒状部
６ｃ  中間円筒状部
６ｄ  最下円筒状部
６ｅ  段差部
６ｆ  貫通穴
６ｇ  中間ボルト嵌合部
６ｈ  メネジ部
７  中間ボルト
７ａ  角筒部
７ｂ  メネジ部
７ｃ  オネジ部
８  アバットメント係合用部材
８ａ  貫通穴
８ｂ  アバットメント嵌合部
８ｃ  把持部
８ｄ  ビス穴
９  アバットメント保持部材
９ａ  貫通穴
９ｂ  保持部
９ｃ  スリット
９ｄ  メネジ部
１０  ビス
１１  アバットメント
１１ａ  角筒状凹部
１１ｂ  外周側平面
１１ｃ  角筒状部
１１ｄ  ボルト穴
１２  インプラントフィクスチャー
１２ａ  角筒状部
１２ｂ  メネジ部
【図１】
0003571066.tif 000002
【図２】
0003571066.tif 000003
【図３】
0003571066.tif 000004
【図４】
0003571066.tif 000005
【図５】
0003571066.tif 000006
【図６】
0003571066.tif 000007
【図７】
0003571066.tif 000008